(57)【要約】【課題】外周部材に電圧を印加したときの被処理体に対するプロセス特性の低下を防ぐ。【解決手段】チャンバ内において被処理体を載置する載置台と、前記載置台の周囲に配置される外周部材と、前記外周部材に電圧を印加する第１の電源と、を有するプラズマ処理装置を用いて被処理体を処理する処理方法であって、前記第１の電源から前記外周部材に電圧を印加する工程と、外周部材に印加する電圧とプロセスパラメータの補正値との相関情報を記憶した記憶部を参照して、前記外周部材に印加した電圧に基づきプロセスパラメータを補正する工程と、補正した前記プロセスパラメータを含むプロセス条件に従いプラズマ処理を実行する工程と、を有する処理方法が提供される。【選択図】図５
2020113652.tif 000002
【特許請求の範囲】
【請求項１】
チャンバ内において被処理体を載置する載置台と、前記載置台の周囲に配置される外周部材と、前記外周部材に電圧を印加する第１の電源と、を有するプラズマ処理装置を用いて被処理体を処理する処理方法であって、
前記第１の電源から前記外周部材に電圧を印加する工程と、
外周部材に印加する電圧とプロセスパラメータの補正値との相関情報を記憶した記憶部を参照して、前記外周部材に印加した電圧に基づきプロセスパラメータを補正する工程と、
補正した前記プロセスパラメータを含むプロセス条件に従いプラズマ処理を実行する工程と、
を有する処理方法。
【請求項２】
前記プロセスパラメータは、生成されるプラズマ密度が変動するプロセス条件である、
請求項１に記載の処理方法。
【請求項３】
前記プロセスパラメータは、エッチングレートが変動するプロセス条件である、
請求項１又は２に記載の処理方法。
【請求項４】
前記プロセスパラメータは、第１の高周波電源から印加される第１の周波数の高周波電力、第２の高周波電源から印加される第１の周波数よりも低い第２の周波数の高周波電力、前記チャンバ内に供給するガス、及び、第２の電源から前記載置台に対向する上部電極に印加する電圧の少なくともいずれかである、
請求項１〜３のいずれか一項に記載の処理方法。
【請求項５】
チャンバ内において被処理体を載置する載置台と、
前記載置台の周囲に配置される外周部材と、
前記外周部材に電圧を印加する第１の電源と、
制御部とを有するプラズマ処理装置であって、
前記制御部は、
前記第１の電源から前記外周部材に電圧を印加する工程と、
外周部材に印加する電圧とプロセスパラメータの補正値との相関情報を記憶した記憶部を参照して、前記外周部材に印加した電圧に基づきプロセスパラメータを補正する工程と、
補正した前記プロセスパラメータを含むプロセス条件に従いプラズマ処理を実行する工程と、
を実行するプラズマ処理装置。
【発明の詳細な説明】
【技術分野】
【０００１】
本開示は、処理方法及びプラズマ処理装置に関する。
【背景技術】
【０００２】
ウェハの周囲に配置される外周部材（以下、エッジリングともいう。）は、プラズマに暴露されることで消耗する。エッジリングの消耗は、ウェハに施される処理の結果に影響を与え、エッチング形状及びエッチングレート等のプロセス特性を低下させる。そこで、特許文献１は、エッジリングの消耗に起因するエッチング形状等の処理結果への影響を低減する技術を提案する。
【先行技術文献】
【特許文献】
【０００３】
【特許文献２】特開２００７−２５８４１７号公報
【発明の概要】
【発明が解決しようとする課題】
【０００４】
本開示は、外周部材に電圧を印加したときの被処理体に対するプロセス特性の低下を防ぐことができる技術を提供する。
【課題を解決するための手段】
【０００５】
本開示の一の態様によれば、チャンバ内において被処理体を載置する載置台と、前記載置台の周囲に配置される外周部材と、前記外周部材に電圧を印加する第１の電源と、を有するプラズマ処理装置を用いて被処理体を処理する処理方法であって、前記第１の電源から前記外周部材に電圧を印加する工程と、外周部材に印加する電圧とプロセスパラメータの補正値との相関情報を記憶した記憶部を参照して、前記外周部材に印加した電圧に基づきプロセスパラメータを補正する工程と、補正した前記プロセスパラメータを含むプロセス条件に従いプラズマ処理を実行する工程と、を有する処理方法が提供される。
【発明の効果】
【０００６】
一の側面によれば、外周部材に電圧を印加したときの被処理体に対するプロセス特性の低下を防ぐことができる。
【図面の簡単な説明】
【０００７】
【図１】一実施形態に係るプラズマ処理装置の一例を示す断面模式図。
【図２】エッジリングの消耗によるチルティングの変動を示す図。
【図３】エッジリングに電圧を印加したときのエッチングレートの一例を示す図。
【図４】エッジリングに電圧を印加したときのエッチングレートの一例を示す図。
【図５】一実施形態に係る処理方法の処理結果の一例を示す図。
【図６】一実施形態に係る処理方法の一例を示すフローチャート。
【発明を実施するための形態】
【０００８】
以下、図面を参照して本開示を実施するための形態について説明する。各図面において、同一構成部分には同一符号を付し、重複した説明を省略する場合がある。
【０００９】
［プラズマ処理装置］
一実施形態に係るプラズマ処理装置１について、図１を参照して説明する。図１は、一実施形態に係るプラズマ処理装置１の一例を示す断面模式図である。一実施形態に係るプラズマ処理装置１は、容量結合型の平行平板処理装置であり、チャンバ１０を有する。チャンバ１０は、例えば表面が陽極酸化処理されたアルミニウムからなる円筒状の容器であり、接地されている。
【００１０】
チャンバ１０の底部には、セラミックス等からなる絶縁板１２を介して円柱状の支持台１４が配置され、この支持台１４の上に例えば載置台１６が設けられている。載置台１６は、静電チャック２０と基台１６ａとを有し、静電チャック２０の上面にウェハＷを載置する。ウェハＷの周囲には、例えばシリコンからなる環状のエッジリング２４が配置されている。エッジリング２４は、フォーカスリングとも呼ぶ。エッジリング２４は、載置台１６の周囲に配置される外周部材の一例である。基台１６ａ及び支持台１４の周囲には、例えば石英からなる環状のインシュレータリング２６が設けられている。静電チャック２０の中央側の内部では、導電膜からなる第１の電極２０ａが絶縁層２０ｂに挟まれている。第１の電極２０ａは電源２２と接続する。電源２２から第１の電極２０ａに印加した直流電圧によって静電力を発生させ、静電チャック２０のウェハ載置面にウェハＷを吸着する。なお、静電チャック２０は、ヒータを有し、これにより温度を制御してもよい。
【００１１】
支持台１４の内部では、例えばリング状又は渦巻状の冷媒室２８が形成されている。チラーユニット（図示せず）から供給される所定温度の冷媒、例えば冷却水が、配管３０ａ、冷媒室２８、配管３０ｂを通り、チラーユニットに戻される。冷媒がかかる経路を循環することにより、冷媒の温度によってウェハＷの温度を制御できる。さらに、伝熱ガス供給機構から供給される伝熱ガス、例えばＨｅガスが、ガス供給ライン３２を介して静電チャック２０の表面とウェハＷの裏面とのすき間に供給される。この伝熱ガスによって、静電チャック２０の表面とウェハＷの裏面の間での熱伝達係数が下がり、冷媒の温度によるウェハＷの温度の制御がより効果的になる。また、静電チャック２０にヒータを有する場合、ヒータによる加熱と冷媒による冷却によって、ウェハＷの温度を応答性が高く、且つ精度の高い制御が可能となる。
【００１２】
上部電極３４は、載置台１６に対向してチャンバ１０の天井部に設けられる。上部電極３４と載置台１６の間はプラズマ処理空間となる。上部電極３４は、絶縁性の遮蔽部材４２を介してチャンバ１０の天井部の開口を閉塞する。上部電極３４は、電極板３６と電極支持体３８とを有する。電極板３６は、載置台１６との対向面に形成された多数のガス吐出孔３７を有し、シリコンやＳｉＣ等のシリコン含有物から形成される。電極支持体３８は、電極板３６を着脱自在に支持し、導電性材料、例えば表面が陽極酸化処理されたアルミニウムから形成される。電極支持体３８の内部では、多数のガス通流孔４１ａ、４１ｂがガス拡散室４０ａ、４０ｂから下方に延び、ガス吐出孔３７に連通している。
【００１３】
ガス導入口６２は、ガス供給管６４を介して処理ガス供給源６６に接続する。ガス供給管６４には、処理ガス供給源６６が配置された上流側から順にマスフローコントローラ（ＭＦＣ）６８および開閉バルブ７０が設けられている。処理ガスは、処理ガス供給源６６から供給され、マスフローコントローラ６８および開閉バルブ７０により流量及び開閉を制御され、ガス供給管６４を介してガス拡散室４０ａ、４０ｂ、ガス通流孔４１ａ、４１ｂを通りガス吐出孔３７からシャワー状に吐出される。
【００１４】
プラズマ処理装置１は、第１の高周波電源９０及び第２の高周波電源４８を有する。第１の高周波電源９０は、第１の高周波電力（以下、「ＨＦパワー」ともいう。）を発生する電源である。第１の高周波電力は、プラズマの生成に適した周波数を有する。第１の高周波電力の周波数は、例えば２７ＭＨｚ〜１００ＭＨｚの範囲内の周波数である。第１の高周波電源９０は、整合器８８及び給電ライン８９を介して基台１６ａに接続されている。整合器８８は、第１の高周波電源９０の出力インピーダンスと負荷側（基台１６ａ側）のインピーダンスを整合させるための回路を有する。なお、第１の高周波電源９０は、整合器８８を介して上部電極３４に接続されていてもよい。
【００１５】
第２の高周波電源４８は、第２の高周波電力（以下、「ＬＦパワー」ともいう。）を発生する電源である。第２の高周波電力は、第１の高周波電力の周波数よりも低い周波数を有する。第１の高周波電力と共に第２の高周波電力が用いられる場合には、第２の高周波電力はウェハＷにイオンを引き込むためのバイアス用の高周波電力として用いられる。第２の高周波電力の周波数は、例えば４００ｋＨｚ〜１３．５６ＭＨｚの範囲内の周波数である。第２の高周波電源４８は、整合器４６及び給電ライン４７を介して基台１６ａに接続されている。整合器４６は、第２の高周波電源４８の出力インピーダンスと負荷側（基台１６ａ側）のインピーダンスを整合させるための回路を有する。
【００１６】
なお、第１の高周波電力を用いずに、第２の高周波電力を用いて、即ち、単一の高周波電力のみを用いてプラズマを生成してもよい。この場合には、第２の高周波電力の周波数は、１３．５６ＭＨｚよりも大きな周波数、例えば４０ＭＨｚであってもよい。プラズマ処理装置１は、第１の高周波電源９０及び整合器８８を備えなくてもよい。かかる構成により、載置台１６は下部電極としても機能する。また、上部電極３４は、ガスを供給するシャワーヘッドとしても機能する。
【００１７】
第２の可変電源５０は上部電極３４と接続し、直流電圧を上部電極３４に印加する。第１の可変電源５５はエッジリング２４と接続し、直流電圧をエッジリング２４に印加する。なお、第１の可変電源５５は、外周部材に電圧を印加する第１の電源の一例である。第２の可変電源５０は、上部電極３４に電圧を印加する第２の電源の一例である。
【００１８】
排気装置８４は、排気管８２と接続する。排気装置８４は、ターボ分子ポンプなどの真空ポンプを有し、チャンバ１０の底部に形成された排気口８０から排気管８２を通して排気を行い、チャンバ１０内を所望の真空度に減圧する。また、排気装置８４は、図示しないチャンバ１０内の圧力を計測する圧力計の値を用いながら、チャンバ１０内の圧力を一定に制御する。搬入出口８５はチャンバ１０の側壁に設けられている。ゲートバルブ８６の開閉により搬入出口８５からウェハＷを搬入出する。
【００１９】
バッフル板８３は、インシュレータリング２６とチャンバ１０の側壁の間に環状に設けられる。バッフル板８３は、複数の貫通孔を有し、アルミニウムで形成され、その表面はＹ２Ｏ３等のセラミックスで被覆されている。
【００２０】
かかる構成のプラズマ処理装置１においてプラズマエッチング処理等の所定のプラズマ処理を行う際には、ゲートバルブ８６を開き、搬入出口８５を介してウェハＷをチャンバ１０内に搬入し、載置台１６の上に載置し、ゲートバルブ８６を閉じる。処理ガスをチャンバ１０の内部へ供給し、チャンバ１０内を排気装置８４により排気する。
【００２１】
第１の高周波電力及び第２の高周波電力を載置台１６に印加する。電源２２から直流電圧を第１の電極２０ａに印加し、ウェハＷを載置台１６に吸着させる。なお、直流電圧を第２の可変電源５０から上部電極３４に印加してもよい。
【００２２】
プラズマ処理空間に生成されたプラズマ中のラジカルやイオンによってウェハＷの被処理面にエッチング等のプラズマ処理が施される。
【００２３】
プラズマ処理装置１には、装置全体の動作を制御する制御部２００が設けられている。制御部２００に設けられたＣＰＵは、ＲＯＭ及びＲＡＭ等のメモリに格納されたレシピに従って、エッチング等の所望のプラズマ処理を実行する。レシピには、プロセス条件に対する装置の制御情報であるプロセス時間、圧力（ガスの排気）、第１の高周波電力及び第２の高周波電力や電圧、各種ガス流量が設定されてもよい。また、レシピには、チャンバ内温度（上部電極温度、チャンバの側壁温度、ウェハＷ温度、静電チャック温度等）、チラーから出力される冷媒の温度などが設定されてもよい。なお、これらのプログラムや処理条件を示すレシピは、ハードディスクや半導体メモリに記憶されてもよい。また、レシピは、ＣＤ−ＲＯＭ、ＤＶＤ等の可搬性のコンピュータにより読み取り可能な記憶媒体に収容された状態で所定位置にセットされ、読み出されるようにしてもよい。
【００２４】
［エッジリングの消耗］
次に、図２を参照して、エッジリング２４の消耗によって生じるシースの変化と、チルティング（tilting）の発生について説明する。図２は、エッジリングの消耗によるチルティングの変動を示す図である。
【００２５】
図２（ａ）に示すように、エッジリング２４が新品の場合にウェハＷの上面とエッジリング２４の上面が同じ高さになるようにエッジリング２４の厚さが設計されている。このとき、プラズマ処理中に生成されるウェハＷ上のシースとエッジリング２４上のシースは同じ厚さになり、段差は生じない。
【００２６】
この状態では、ウェハＷ及びエッジリング２４へのプラズマ中のイオンの照射角度は、これらの表面に対して概ね垂直になる。この結果、ウェハＷ上に形成した凹部の形状（エッチング形状）は、ウェハＷの中央部及びエッジ部のいずれにおいても垂直になる。つまり、ウェハＷ上に形成した凹部の形状が斜めになるチルティングは生じない。
【００２７】
プラズマ処理中、エッジリング２４はプラズマに曝露され、徐々に消耗する。そうすると、図２（ｂ）に示すように、エッジリング２４の厚さが薄くなって、エッジリング２４の上面がウェハＷの上面よりも低くなる。この結果、エッジリング２４上のシースとウェハＷ上のシースの間に段差が生じる。
【００２８】
この場合、図２（ｂ）の矢印に示すように、ウェハＷのエッジ部においてイオンの照射角度が斜めになり、ウェハＷ上に形成した凹部の形状が斜めになるチルティングが発生する。
【００２９】
これに対して、第１の可変電源５５からエッジリング２４の消耗量に応じた所定の直流電圧をエッジリング２４に印加することで、シースの厚さを制御する。これにより、エッジリング２４上のシースとウェハＷ上のシースの間の段差をなくし、チルティングの発生を回避する。
【００３０】
［エッチングレートの変動］
しかしながら、所定の直流電圧をエッジリング２４に印加してプラズマ処理を行うと、ウェハＷのプロセス特性に影響を与えることがわかった。図３は、エッジリング２４に直流電圧を印加し、ウェハＷにプラズマエッチング処理を施したときの実験結果の一例を示す。この実験におけるプロセス条件を以下に示す。
【００３１】
＜プロセス条件＞
ガス        ＣＦ４ガス、Ｃ４Ｆ８ガス、Ｎ２ガス
ＨＦパワー  一定値
ＬＦパワー  一定値
図３の横軸は、エッジリングに印加する直流電圧（エッジリングＤＣ電圧）を示し、縦軸は、ウェハＷの中央部（センタ）のエッチングレート（Ｅ／Ｒ）を示す。これによれば、エッジリング２４に直流電圧を印加することにより、ウェハＷの中央部のエッチングレートが上昇し、エッジリング２４に印加する直流電圧が大きくなるほど、エッチングレートが高くなることがわかった。
【００３２】
さらに、図４では、ＨＦパワー及びＬＦパワーを３段階に変えてプラズマエッチング処理を行った。ＨＦパワー及びＬＦパワー以外のプロセス条件は、図３のプロセス条件と同じである。
【００３３】
図４に示す線Ｂは、ＨＦパワー及びＬＦパワーを、説明の便宜上、基準パワーとして「中」とした場合のエッチングレートの結果である。
【００３４】
線Ａは、ＨＦパワー及びＬＦパワーを基準パワーよりも高く設定した場合のエッチングレートの結果である。線Ｃは、ＨＦパワー及びＬＦパワーを基準パワーよりも低く設定した場合のエッチングレートの結果である。
【００３５】
この結果によれば、ＨＦパワー及びＬＦパワーを上記３段階に変動させたいずれの場合にも、エッチングレートが上昇する傾向は同じであった。つまり、エッジリング２４に直流電圧を印加した場合には、ウェハＷの中央部のエッチングレートが上昇し、エッチングレートの制御性が悪くなることがわかった。
【００３６】
［ＨＦパワー及びＬＦパワーの補正］
そこで、エッジリング２４に印加する直流電圧と、エッチングレートと、ＨＦパワー及びＬＦパワーとの関係から、エッジリング２４に直流電圧を印加しなかった場合に対して、印加した場合のウェハＷの中央部におけるエッチングレートのシフト量を予測した。そして、得られたエッチングレートのシフト量に対して、当該エッチングレートをシフトさせないための近似式を算出し、近似式からＨＦパワーの補正値及びＬＦパワーの補正値を求めた。
【００３７】
これによれば、エッジリング２４に直流電圧を印加したときに、プラズマ処理中に印加するＨＦパワー及びＬＦパワーをＨＦパワーの補正値及びＬＦパワーの補正値により補正することで、ウェハＷの中央部のエッチングレートのシフトを抑えることができる。これにより、エッチングレートの面内均一性又は制御性を高め、エッジリング２４に電圧を印加したときのウェハＷに対するプロセス特性の低下を防ぐことができる。
【００３８】
図５（ａ）の横軸はウェハの枚数であり、縦軸はウェハＷの中央部のエッチングレートである。図５（ａ）中の「実測値」は、実験計画法を用いてウェハ毎にプロセスパラメータを変えてウェハＷの中央部のエッチングレートを測定した結果である。
【００３９】
図５（ａ）中の「評価値（計算値）」は、「実測値」から多変量解析を用いて、プロセスパラメータに対するウェハＷの中央部のエッチングレートの関係を示す近似式を求め、「実測値」と同様にウェハ毎にプロセスパラメータを変えてウェハＷの中央部のエッチングレートを算出した結果である。これによれば、「評価値」が「実測値」とほぼ同じになったため、近似式の精度は高いものと言える。
【００４０】
図５（ｂ）は、「実測値」から求められた近似式から、ウェハＷの中央部のエッチングレートが同一であるときのエッジリング２４に印加する電圧とＨＦパワー及びＬＦパワーの補正値との相関を算出した相関情報である。
【００４１】
これにより、本実施形態に係るＨＦパワー及びＬＦパワーの補正によってエッジリング２４に直流電圧を印加した場合であっても、ウェハＷの中央部におけるエッチングレートがシフトせず、エッチングレートの制御性を確保できる。
【００４２】
なお、図５（ｂ）は、ＨＦパワー及びＬＦパワーを同一比率で変化させた場合のエッジリングの印加電圧と、ＨＦパワー及びＬＦパワーとの相関関係を示すが、ＨＦパワー及びＬＦパワーは、同一比率で変化させることに限られない。
【００４３】
［プロセスパラメータの補正］
なお、使用する近似式は、実測値に近似する式であれば、一次関数を用いた近似式であってもよいし、それ以外の関数（二次関数等）を用いた近似式であってもよい。ＨＦパワー及びＬＦパワーに対して、かかる近似式を用いた補正を行うことで、ウェハＷの中央部のエッチングレートを変化させずに、ウェハＷのプロセス特性の面内均一性を確保することができる。
【００４４】
エッジリング２４に印加する直流電圧の変動値（差分）に対して、どれだけＨＦパワー及びＬＦパワーを補正すべきかは、近似式により求められる。よって、その相関情報を制御部２００のメモリに予め記憶しておく。
【００４５】
例えば、図５（ｂ）に示すグラフでは、横軸の第１の可変電源５５の最大出力値（エッジリングＤＣ電圧として表記）に対するエッジリング２４に印加する直流電圧の割合に対して、縦軸（左）はエッジリング２４に印加しないときのＨＦパワーの設定値からの補正する割合を示し、縦軸（右）はエッジリング２４に印加しないときのＬＦパワーの設定値からの補正する割合を示す。
【００４６】
この例では、エッジリング２４に印加する直流電圧を「３０％」増やすと、ＨＦパワーを設定値から「１２．５％」減算し、ＬＦパワーを設定値から「１２．５％」減算する。そして、補正後のＨＦパワー及び補正後のＬＦパワーを印加する。
【００４７】
このようにして、エッジリング２４に印加する直流電圧又はその変動分に応じてＨＦパワー及びＬＦパワーを補正することで、エッジリング２４に直流電圧を印加した場合であっても、ウェハＷの中央部のエッチングレートの上昇を抑えることができる。これにより、エッジリング２４に印加する直流電圧によりウェハＷのエッジ部のチルティングの発生を抑えつつ、エッチングレートの制御性を高めることができる。
【００４８】
なお、本実施形態では、エッジリング２４に印加する直流電圧又はその変動分に応じてＨＦパワー及びＬＦパワーを補正したが、エッジリング２４に印加する直流電圧に応じて補正するプロセスパラメータは、ＨＦパワー及びＬＦパワーに限られない。補正するプロセスパラメータは、生成されるプラズマ密度が変動するプロセス条件であれば、どのようなパラメータであってもよい。補正するプロセスパラメータは、例えばエッチングレートが変動するプロセス条件であってもよい。
【００４９】
例えば、補正するプロセスパラメータは、ＬＦパワーのみでもよいし、ＨＦパワーのみでもよい。補正するプロセスパラメータは、第２の可変電源５０から上部電極３４に印加する直流電圧であってもよいし、処理ガス供給源６６から供給するガスの種類及び／又はガスの流量であってもよいし、チャンバ１０内の圧力であってもよい。
【００５０】
つまり、プロセスパラメータは、第１の高周波電源９０から印加される第１の周波数の高周波電力、第２の高周波電源４８から印加される第１の周波数よりも低い第２の周波数の高周波電力、チャンバ１０内に供給するガス、チャンバ１０内の圧力、及び、第２の可変電源５０から上部電極３４に印加する電圧の少なくともいずれかであり得る。
【００５１】
［補正処理を含む処理方法］
最後に、一実施形態に係る制御部２００が行う補正処理について、図６を参照して説明する。図６は、一実施形態に係る補正処理を含む処理方法の一例を示すフローチャートである。なお、制御部２００に補正処理を実行させるプログラムは、制御部２００のメモリに格納されており、ＣＰＵによりメモリから読み出されて実行される。
【００５２】
本処理が開始されると、制御部２００は、エッジリング２４に印加した直流電圧（ＤＣ電圧）の値を取得する（ステップＳ１）。次に、制御部２００は、エッジリング２４に印加した直流電圧値のうち、今回の直流電圧値と前回の直流電圧値との差分を算出する（ステップＳ２）。なお、今回の直流電圧値と前回の直流電圧値の取得間隔は、どのように設定されてもよい。また、今回の直流電圧値と前回の直流電圧値の差分に限られず、今回の直流電圧値と前回又はそれ以前の直流電圧値との差分であってもよい。例えば、今回の直流電圧値と前回及び前々回の直流電圧値の平均値との差分を用いてもよい。
【００５３】
次に、制御部２００は、図５（ｂ）に示すエッジリング２４に印加する直流電圧の差分とＨＦパワー及びＬＦパワーの補正値との相関情報を記憶したメモリを参照して、直流電圧値の差分に対するＨＦパワー及びＬＦパワーの補正値を算出する（ステップＳ３）。なお、図５（ｂ）の相関情報の例は、エッジリング２４に印加する直流電圧とプロセスパラメータの補正値との相関関係を示す情報の一例であり、これに限られない。前記相関情報は、今回の直流電圧値及び前回の直流電圧値の変動分（差分）と、プロセスパラメータの補正値との相関を示す情報でもよいし、今回の直流電圧値とプロセスパラメータの補正値との相関を示す情報であってもよい。後者の場合、ステップＳ２をスキップし、ステップＳ３にて、メモリに記憶した相関情報を参照して、ステップＳ１にて取得した今回の直流電圧値に対するＨＦパワーの補正値とＬＦパワーの補正値とを算出すればよい。
【００５４】
次に、制御部２００は、レシピに設定されたＨＦパワーの設定値から、ステップＳ３にて算出したＨＦパワーの補正値を減算し、補正後のＨＦパワーとする（ステップＳ４）。また、レシピに設定されたＬＦパワーの設定値から、ステップＳ３にて算出したＬＦパワーの補正値を減算し、補正後のＬＦパワーとする（ステップＳ４）。
【００５５】
次に、制御部２００は、補正後のＨＦパワーを印加し、補正後のＬＦパワーを印加する。制御部２００は、その他のプロセス条件についてはレシピに設定された設定値に制御し、プラズマ処理を実行し（ステップＳ５）、本処理を終了する。
【００５６】
以上に説明したように、本実施形態の補正処理によれば、エッジリング２４に直流電圧を印加したときのウェハＷの中央部のエッチングレートの上昇を抑えることができる。これにより、エッジリング２４に印加する直流電圧によりウェハＷのエッジ部のチルティングの発生を抑えつつ、エッチングレートの制御性を高めることができる。これにより、エッジリング２４に電圧を印加したときのウェハＷに対するプロセス特性の低下を防ぐ。
【００５７】
今回開示された一実施形態に係る処理方法及びプラズマ処理装置は、すべての点において例示であって制限的なものではないと考えられるべきである。上記の実施形態は、添付の請求の範囲及びその主旨を逸脱することなく、様々な形態で変形及び改良が可能である。上記複数の実施形態に記載された事項は、矛盾しない範囲で他の構成も取り得ることができ、また、矛盾しない範囲で組み合わせることができる。
【００５８】
エッジリング２４に印加する電圧は、直流電圧に限られず、交流電圧であってもよい。交流電圧をエッジリング２４に印加する場合、可変直流電源５５の代わりに整合器、ブロッキングコンデンサを介して交流電源が接続される。この交流電源は、プラズマ中のイオンが追従できる周波数ｆを有する交流、つまりイオンプラズマ周波数よりも低い低周波または高周波の交流ＡＣを出力し、そのパワー、電圧波高値または実効値を可変できるようになっている。エッチングプロセス中に交流電源からの交流電圧がブロッキングコンデンサを介してエッジリング２４に印加されると、エッジリング２４には自己バイアス電圧が発生する。即ち、エッジリング２４に負の直流電圧成分が印加されたことになる。
【００５９】
本開示のプラズマ処理装置は、Capacitively Coupled Plasma(CCP)、Inductively Coupled Plasma(ICP)、Radial Line Slot Antenna(RLSA)、Electron Cyclotron Resonance Plasma(ECR)、Helicon Wave Plasma(HWP)のどのタイプのプラズマ処理装置にも適用可能である。
【００６０】
本明細書では、被処理体の一例としてウェハＷを挙げて説明した。しかし、被処理体は、これに限らず、ＦＰＤ（Ｆｌａｔ  Ｐａｎｅｌ  Ｄｉｓｐｌａｙ）に用いられる各種基板、プリント基板等であっても良い。
【符号の説明】
【００６１】
１            プラズマ処理装置
１０          チャンバ
１６          載置台
１６ａ        基台
２０ａ        第１の電極
２４          エッジリング
３４          上部電極
４８          第２の高周波電源
５０          第２の可変電源
５５          第１の可変電源
６６          処理ガス供給源
９０          第１の高周波電源
Ｗ            ウェハ
【図１】
2020113652.tif 000003
【図２】
2020113652.tif 000004
【図３】
2020113652.tif 000005
【図４】
2020113652.tif 000006
【図５】
2020113652.tif 000007
【図６】
2020113652.tif 000008